(57)【要約】【課題】インターネット等の通信ネットワークを通じて求人を行っている団体を自動的に収集し、収集された団体に対する求職手続きを、簡単な操作により一括して行う。【解決手段】インターネット３上に分散配置された情報データを収集し、収集された情報データから、所定の情報を抽出するためのキーワードを蓄積するキーワードデータベース５２を検索して、情報データから所定の情報を情報取得元と関連付けて抽出する。そして、ユーザーの個人情報を取得するとともに、抽出された情報データに含まれるデータ項目に対応付け、データをインターネット３上に送信するための送信フォームに記述し、送信フォームを送信すべき情報取得元を選択するとともに、選択された情報取得元に対して送信フォームを送信する。【選択図】  図２
2006185409.tif 000002
【特許請求の範囲】
【請求項１】
通信回線を相互に接続して構築された通信ネットワーク上に分散配置された情報データを収集する情報データ収集部と、
前記情報データから所定の情報を抽出するためのキーワードを蓄積するキーワードデータベースと、
前記キーワードデータベースを検索し、前記キーワードに対応するデータを抽出データとして、前記情報データから、該情報取得元及び前記キーワードと関連付けて、抽出する情報抽出部と、
ユーザーに関する情報を取得するとともに、この取得したユーザー情報を、前記情報抽出部により抽出された抽出データに対応付け、データを前記通信ネットワーク上に送信するための送信フォームに記述する代行処理部と、
前記代行処理部で形成された送信フォームを送信すべき前記情報取得元を選択する選択部と、
前記選択部により選択された情報取得元に対して前記送信フォームを送信するデータ送信部と
を備えていることを特徴とする代行処理システム。
【請求項２】
前記情報収集部は、
前記情報データに含まれるリンク情報を解析するリンク解析部と、
解析された前記リンク情報を辿って、情報データ間を遷移することにより、情報データを収集するアクセス制御部と
を備えていることを特徴とする請求項１に記載の代行処理システム。
【請求項３】
前記代行処理部は、前記ユーザー情報のうち、所定のデータを非表示として前記送信フォームに記述する情報フィルタ部を備えていることを特徴とする請求項１に記載の代行処理システム。
【請求項４】
前記ユーザーは、求職している個人であり、
前記ユーザー情報は、前記個人の個人情報及び求職条件であり、
前記情報データは、求人を行っている企業等の組織（以下、「求人企業等」とする。）に関するＷｅｂデータであり、
前記抽出データは、前記求人企業等に関する情報及び求人に関する項目データであり、
前記情報取得元は、求人に対する応募を受け付ける部署であり、
前記送信フォームは、求職のために個人情報を送信するデータ構造をなしている
ことを特徴とする請求項１に記載の代行処理システム。
【請求項５】
前記代行処理部で取得された前記個人情報及び求職条件に基づいて、所定のフォーマットの履歴書データを作成する履歴書作成部と、
前記履歴書データを蓄積する履歴書データベースと
を備えることを特徴とする請求項４に記載の代行処理システム。
【請求項６】
前記履歴書データベースに蓄積された履歴書データを、当該履歴書データに係る個人が選択する求人企業等に対して、該求人企業等において復号可能に提供する開示部と、
前記選択された求人企業等が復号可能な暗号鍵を設定する暗号鍵設定部と、
前記履歴書データを前記暗号鍵を用いて暗号化する暗号処理部と
を有することを特徴とする請求項５に記載の代行処理システム。
【請求項７】
前記暗号処理部は、前記個人に固有の個人暗号鍵により前記履歴書データを暗号化し、
前記暗号鍵設定部は、前記選択された求人企業等に固有の企業公開鍵により、前記個人暗号鍵を暗号化し、
前記開示部は、前記選択された求人企業等に固有の秘密鍵により、前記個人暗号鍵を復号し、復号された該個人暗号鍵により前記履歴書データを復号して開示する
ことを特徴とする請求項６に記載の代行処理システム。
【請求項８】
前記ユーザーは、求人企業等であり、
前記ユーザー情報は、前記求人企業に関する情報及び採用情報であり、
前記情報データは、前記求人企業等を登録する就職情報サイトに関するＷｅｂデータであり、
前記抽出データは、前記求人企業等に関する情報及び求人採用に関する項目データであり、
前記情報取得元は、前記求人企業等の登録を受け付ける部署であり、
前記送信フォームは、前記求人企業等を登録するためのデータ構造をなしている
ことを特徴とする請求項１に記載の代行処理システム。
【請求項９】
前記代行処理部で取得された前記求人企業に関する情報及び採用情報に基づいて、前記通信ネットワーク上で配布可能なデータ形式の採用ホームページデータを作成する採用ホームページ作成部と、
前記採用ホームページデータを蓄積する企業データベースと
を備えることを特徴とする請求項８に記載の代行処理システム。
【請求項１０】
通信回線を相互に接続して構築された通信ネットワーク上に分散配置された情報データを収集するステップ（１）と、
前記情報データから所定の情報を抽出するためのキーワードを蓄積するキーワードデータベースを検索し、前記キーワードに対応するデータを抽出データとして、前記情報データから、該情報取得元及び前記キーワードと関連付けて抽出するステップ（２）と、
ユーザーに関する情報を取得するとともに、この取得したユーザー情報を、前記抽出された抽出データに対応付け、データを前記通信ネットワーク上に送信するための送信フォームに記述するステップ（３）と、
前記ステップ（３）で形成された送信フォームを送信すべき前記情報取得元を選択するステップ（４）と、
前記ステップ（４）により選択された情報取得元に対して前記送信フォームを送信するステップ（５）と
を備えていることを特徴とする代行処理方法。
【請求項１１】
前記ステップ（１）では、
前記情報データに含まれるリンク情報を解析し、解析された前記リンク情報を辿って、情報データ間を遷移することにより、情報データを収集する
ことを特徴とする請求項１０に記載の代行処理方法。
【請求項１２】
前記ステップ（３）では、前記ユーザー情報のうち、所定のデータを非表示として前記送信フォームに記述することを特徴とする請求項１０に記載の代行処理方法。
【請求項１３】
前記ユーザーは、求職している個人であり、
前記ユーザー情報は、前記個人の個人情報及び求職条件であり、
前記情報データは、求人企業等に関するＷｅｂデータであり、
前記抽出データは、前記求人企業等に関する情報及び求人に関する項目データであり、
前記情報取得元は、求人に対する応募を受け付ける部署であり、
前記送信フォームは、求職のために個人情報を送信するデータ構造をなしている
ことを特徴とする請求項１０に記載の代行処理方法。
【請求項１４】
前記ステップ（３）で取得された前記個人情報及び求職条件に基づいて、所定のフォーマットの履歴書データを作成し、この作成された履歴書データを履歴書データベースに蓄積するステップをさらに有することを特徴とする請求項１３に記載の代行処理方法。
【請求項１５】
前記履歴書データを履歴書データベースに蓄積するステップにおいて、
前記履歴書データに係る前記個人が選択した求人企業等において復号可能な暗号鍵を設定するとともに、前記履歴書データを前記暗号鍵を用いて暗号化するステップを有し
前記ステップ（５）の後に、
前記暗号化された履歴書データを、前記個人が選択した求人企業等において復号可能に、該求人企業等に対して提供するステップをさらに有することを特徴とする請求項１４に記載の代行処理方法。
【請求項１６】
前記履歴書データを履歴書データベースに蓄積するステップにおいて、
前記個人に固有の個人暗号鍵により前記履歴書データを暗号化するとともに、前記選択された求人企業等に固有の企業公開鍵により、前記個人暗号鍵を暗号化し、
前記暗号化された履歴書データを復号可能に提供するステップでは、前記選択された求人企業等に固有の秘密鍵により、前記個人暗号鍵を復号し、復号された該個人暗号鍵により前記履歴書データを復号して開示する
ことを特徴とする請求項１５に記載の代行処理方法。
【請求項１７】
前記ユーザーは、求人企業等であり、
前記ユーザー情報は、前記求人企業に関する情報及び採用情報であり、
前記情報データは、前記求人企業等を登録する就職情報サイトに関するＷｅｂデータであり、
前記抽出データは、前記求人企業等に関する情報及び求人採用に関する項目データであり、
前記情報取得元は、前記求人企業等の登録を受け付ける部署であり、
前記送信フォームは、前記求人企業等を登録するためのデータ構造をなしている
ことを特徴とする請求項１０に記載の代行処理方法。
【請求項１８】
前記ステップ（３）で取得された前記求人企業に関する情報及び採用情報に基づいて、前記通信ネットワーク上で配布可能なデータ形式の採用ホームページデータを作成し、
この作成された前記採用ホームページデータを企業データベースに蓄積するステップをさらに有することを特徴とする請求項１７に記載の代行処理方法。
【発明の詳細な説明】
【技術分野】
【０００１】
本発明は、インターネット上に分散配置された求人情報などの情報データに対する個人情報の送信を代行する代行処理システム及び代行処理方法に関する。
【背景技術】
【０００２】
従来より、インターネットを通じて求人や求職を行う情報提供サービスが行われている。このような情報提供サービスを実施するためのシステムとして、例えば特許文献１に開示された技術がある。
【０００３】
この特許文献１に開示されたシステムでは、例えば、医療機関が医師の照会をしたり、医師が医療機関への応募などの情報提供サービスを行うためのものであり、情報提供会社の情報提供サーバが、これらの照会依頼及び応募依頼受け付け、照会依頼情報や応募依頼情報としてマッチングデータベースに登録、保持する。そして、情報管理サーバは、医療機関情報、医師情報、履歴情報等を判断材料として、依頼情報の内容を審査し、当該依頼情報の処理の可否、提示の可否についての審査結果を情報提供サーバに返答し、この審査結果が情報提供サーバにおいて、ユーザー（医療機関や医師）に対して提示される。
【特許文献１】特開２００４−９４７５９号公報
【発明の開示】
【発明が解決しようとする課題】
【０００４】
しかしながら、上述した特許文献１に開示されたシステムでは、求人を行う企業等の団体（医療機関）が、積極的にマッチングデータベースに登録する必要があり、登録されていない団体は検索されないという問題がある。このため、求職者は、十分な情報の下で照会を行わなければならず、適切なマッチング結果を得ることができない惧れがある。
【０００５】
そこで、本発明は以上の点に鑑みてなされたもので、インターネット等の通信ネットワークを通じて求人を行っている企業等や、求人企業を登録しているポータルサイトを自動的に収集し、収集されたポータルサイトへの登録手続や、求人企業等に対する求職手続きを、簡単な操作により一括して行うことができる代行処理システム及び代行処理方法を提供することをその課題とする。
【課題を解決するための手段】
【０００６】
上記課題を解決するために、本発明は、通信回線を相互に接続して構築された通信ネットワーク上に分散配置された情報データを収集し、情報データから所定の情報を抽出するためのキーワードを蓄積するキーワードデータベースを検索して、キーワードに対応するデータを抽出データとして、情報データから情報取得元と関連付けて抽出する。そして、ユーザー情報を取得するとともに、このユーザー情報を、抽出された抽出データに対応付け、データを通信ネットワーク上に送信するための送信フォームに記述し、送信フォームを送信すべき情報取得元を選択するとともに、選択された情報取得元に対して送信フォームを送信する。
【０００７】
このような本発明によれば、自動的にインターネット上の情報データを収集するため、求人企業等が、インターネット上に積極的に企業情報や求人情報を登録しなくても、自動的にユーザーの検索対象に含めることができる。また、自動的に収集された情報データ（例えば就職情報ポータルサイト等）に対する求職手続や企業登録手続などの情報送信処理を、統一された送信フォームにより一括して行うことができるため、ユーザー（企業や求職者）は、ポータルサイト毎に採用情報や個人情報を入力するなどの煩雑な操作を簡略化し、多数のサイトに対して容易に手続きを行うことができる。
【０００８】
上記発明においては、情報データに含まれるリンク情報を解析し、解析されたリンク情報を辿って、情報データ間を遷移することにより、情報データを収集することが好ましい。この場合には、いわゆる検索ロボットにより、通信ネットワーク上を自動的に遷移し、関連する情報を辿って求人情報等の情報データを効率よく収集することができる。
【０００９】
上記発明においては、ユーザー情報のうち、所定のデータを非表示として送信フォームに記述することが好ましい。この場合には、情報取得元に対して、不要な個人情報が開示されるのを回避することができ、個人情報の漏洩を防止することができる。
【００１０】
上記発明において、前記ユーザーは、求職している個人であり、前記ユーザー情報は、前記個人の個人情報及び求職条件であり、前記情報データは、求人企業等に関するWebデータであり、前記抽出データは、前記求人企業等に関する情報及び求人に関する項目データであり、前記情報取得元は、求人に対する応募を受け付ける部署であり、前記送信フォームは、求職のために個人情報を送信するデータ構造をなすようにすることも可能である。この場合には、本発明を、求人を行っている企業等の企業ホームページや、就職ポータルサイトに対して求職者が行う応募手続を代行するサービスに利用することができる。
【００１１】
上記発明において、取得された前記個人情報及び求職条件に基づいて、所定のフォーマットの履歴書データを作成し、この作成された履歴書データを履歴書データベースに蓄積することが好ましい。この場合には、求職者の応募手続を代行する処理と並行して、求職者の履歴書データを蓄積することができ、独自の履歴書データベースを構築することが可能となる。
【００１２】
上記発明における履歴書データを履歴書データベースに蓄積するステップでは、履歴書データに係る前記個人が選択した求人企業等において復号可能な暗号鍵を設定するとともに、前記履歴書データを前記暗号鍵を用いて暗号化し、暗号化された履歴書データを、個人が選択した求人企業等において復号可能に、求人企業等に対して提供することが好ましい。この場合には、就職活動を希望しない無関係な企業に対して個人情報である履歴書データが漏洩するのを防止することができる。
【００１３】
なお、上記発明では、例えば、個人に固有の個人暗号鍵により前記履歴書データを暗号化するとともに、選択された求人企業等に固有の企業公開鍵により個人暗号鍵を暗号化し、その選択された求人企業等に固有の秘密鍵により、個人暗号鍵を復号し、復号された個人暗号鍵により履歴書データを復号して開示することができる。
【００１４】
上記発明において、前記ユーザーは、求人企業等であり、前記ユーザー情報は、前記求人企業に関する情報及び採用情報であり、前記情報データは、前記求人企業等を登録する就職情報サイトに関するWebデータであり、前記抽出データは、前記求人企業等に関する情報及び求人採用に関する項目データであり、前記情報取得元は、前記求人企業等の登録を受け付ける部署であり、前記送信フォームは、前記求人企業等を登録するためのデータ構造をなすようにすることも可能である。この場合には、本発明を、求人企業を募集・登録しているポータルサイトに対して企業等が行う登録手続を代行するサービスに利用することができる。
【００１５】
上記発明において、取得された前記求人企業に関する情報及び採用情報に基づいて、前記通信ネットワーク上で配布可能なデータ形式の採用ホームページデータを作成し、この作成された前記採用ホームページデータを企業データベースに蓄積することが好ましい。この場合には、求人企業等の企業登録手続を代行する処理と並行して、求人企業のホームページ作成サービス、及び求人企業のデータを蓄積することができ、独自の企業データベースを構築することが可能となる。
【発明の効果】
【００１６】
以上説明したように本発明によれば、インターネット等の通信ネットワークを通じて求人を行っている企業等や、求人企業を登録しているポータルサイトを自動的に収集し、収集されたポータルサイトへの登録手続や、求人企業等に対する求職手続きを、簡単な操作により一括して容易に行うことができる。
【００１７】
そして、特に本発明によれば、求人企業のポータルサイトへの登録手続や、求職者の応募手続を代行するサービスと併せて、この代行サービスにおいて取得されたデータを独自のデータベースに蓄積することにより、求人企業側の情報及び求職者側の情報の両方を効率よく蓄積することができ、求人企業と求職者とのマッチングサービスを統一されたシステムにより提供することが可能となる。
【発明を実施するための最良の形態】
【００１８】
［第１実施形態］
（代行処理システムの構成）
本発明の実施形態について、図面を参照しつつ説明する。図１は、本実施形態に係る代行処理システムの概略構成を示す説明図である。
【００１９】
同図に示すように、本実施形態に係る代行処理システムは、ユーザーが使用する端末装置１ａと、インターネット３と、インターネット３上に分散配置されたWebサーバ４１〜４３と、インターネット３を通じて端末装置１ａがアクセス可能な代行処理サーバ２とを備えている。なお、本実施形態では、インターネット３上において配信される情報データは、求人を行っている企業等の団体に関する情報であって、求人に関する情報を含むＨＴＭＬファイル等である。
【００２０】
端末装置１ａは、ＣＰＵ等の演算処理ユニットや通信デバイスを備えた装置であり、パーソナルコンピュータ等の汎用コンピュータや、機能を特化させた専用装置により実現することができ、モバイルコンピュータやＰＤＡ（Personal Digital Assistance）、携帯電話機が含まれる。
【００２１】
インターネット３は、通信プロトコルTCP/IPを用いて種々の通信回線（電話回線やISDN回線、ADSL回線などの公衆回線、専用回線、無線通信網）を相互に接続して構築される分散型の通信ネットワークであり、10BASE-Tや100BASE-TX等によるイントラネット（企業内ネットワーク）や家庭内ネットワークなどのLANなども含まれる。
【００２２】
Webサーバ４１〜４３は、WWW（World Wide Web）等のドキュメントシステムにおいて、ＨＴＭＬ（HyperText Markup Language）ファイルや画像ファイル、音楽ファイルなどの情報送信を行う通信サーバ或いはその機能を持ったソフトウェアにより実現され、ＨＴＭＬ文書や画像などの情報を蓄積しておき、端末装置１ａで実行されるWebブラウザなどのクライアントソフトウェアの要求に応じて、インターネット３を通じて企業情報の配信や求人情報の配信などの情報提供サービスを行う。
【００２３】
代行処理サーバ２も、Webサーバ４１〜４３と同様に、WWW（World Wide Web）等のドキュメントシステムにおいて、ＨＴＭＬ（HyperText Markup Language）ファイルや画像ファイル、音楽ファイルなどの情報送信を行う通信サーバ或いはその機能を持ったソフトウェアである。また、代行処理サーバ２は、インターネット３上を巡回ロボットにより巡回し、Webサーバ４１〜４３等から求人情報を収集し、求職情報の検索サービスを提供する機能を備えている。図２（ａ）は、代行処理サーバ２の内部構成を示すブロック図である。
【００２４】
具体的に、代行処理サーバ２は、通信系のモジュールであるデータ送受部２２と、データ収集系のモジュールである情報データ収集部２１とを備えている。
【００２５】
データ送受部２２は、インターネット３に接続され、インターネット３を通じてＩＰパケットの送受を行う通信デバイスである。このデータ送受部２２は、情報データ収集部２１により特定されたアドレス（URLやIPアドレス）にアクセスし、ＨＴＭＬファイル等をダウンロードし、タグ解析部２１ｃに出力する。また、データ送受部２２は、代行処理部２４を通じて求職者１が使用する端末装置１ａ及びWebサーバ４１〜４３に対して情報の送受信を行う。
【００２６】
情報データ収集部２１は、インターネット３上に分散配置されたＨＴＭＬ等の情報データを収集するモジュールであり、アクセス制御部２１ａと、リンク解析部２１ｂと、タグ解析部２１ｃとを備え、アドレスデータベース５１が接続されている。
【００２７】
タグ解析部２１ｃは、情報データであるＨＴＭＬ中のタグ（マークアップ）を解析し、情報データ中のテキストを属性（リンクアンカーや入力フォーム、テーブル等）毎に分類し、キーワード検索部２３及びリンク解析部２１ｂに出力するモジュールである。
【００２８】
リンク解析部２１ｂは、タグ解析部２１ｃにより解析されたリンク情報、すなわちＨＴＭＬタグに含まれる”リンクアンカー”を解析し、関連する情報データのアドレスを収集し、アドレスデータベース５１に蓄積させるモジュールである。
【００２９】
アクセス制御部２１ａは、リンク解析部２１ｂにより解析されアドレスデータベース５１に蓄積されたリンク情報を読み出し、読み出されたリンク先をデータ送受部２２に出力し、データ送受部２２により、リンクを辿って情報データ間を遷移させて、情報データを収集させるモジュールである。
【００３０】
また、代行処理サーバ２は、代行処理系のモジュールであるキーワード検索部２３と、情報抽出部２５と、送信フォーム生成部２６とを備えている。
【００３１】
キーワード検索部２３は、情報抽出部２５の要求に応じて、情報データから所定の情報を抽出するためのキーワードを蓄積するキーワードデータベース５２を検索し、検索結果を情報抽出部２５に出力するモジュールである。このキーワードは、情報データ中のタグ（文書レイアウトやテーブル、リスト等）により画定されるテキスト中に含まれる文字列を抽出するためのものであり、本実施形態では、企業情報を抽出するキーワードとして、”会社案内”や”所在地”、”会社概要”等であり、求人情報であれば、”採用情報”、”募集要項”、”勤務地”、”職務内容”、”給与”、”勤務時間”等である。なお、このキーワードとしては、例えば地名を識別するためのコードであってもよい。
【００３２】
また、キーワード検索部２３には、例えば、キーワード検索のために入力された文字列の履歴をユーザー毎に記憶する入力履歴機能を設けてもよい。この入力履歴機能によれば、例えば、ユーザーが頻繁に入力する文字列を履歴の中から抽出して、入力用のテキストボックス（コンボボックス）等に表示し、選択操作によって入力可能とすることにより、ユーザーによる入力作業の支援を実現することができる。また、例えば、ユーザー毎の履歴を複数のユーザー間で共有できるようにしてもよい。この場合には、多数のユーザーが一般的に用いる検索文字列を優先的に表示し、選択入力させることができ、検索操作が不慣れなユーザーであっても、容易に情報検索を行うことができる。
【００３３】
情報抽出部２５は、情報データから所定の情報を情報取得元及び上記キーワードと関連付けて抽出し、抽出した情報を企業データベース５３に蓄積するモジュールである。例えば、Webサーバ４１から取得した情報データから得られた情報について、各項目及び各内容を対応付けて、以下のようなテーブルデータとして企業データベース５３に蓄積する。
【表１】
2006185409.tif 000003
【００３４】
送信フォーム生成部２６は、タグ解析部２１ｃにより、Webサーバ４１〜４３上のＨＴＭＬ内に送信フォームが含まれている場合に、この送信フォームを切り出すとともに、送信フォーム中に含まれる送信項目の属性を解析し、所定のテンプレートの対応項目と関連付けて、送信フォームデータベース５４に蓄積するモジュールである。
【００３５】
例えば、情報データに以下のようなタグが含まれている場合、
【数１】
2006185409.tif 000004
送信フォーム生成部２６は、<FORM>〜</FORM>までを切り出すとともに、表２に示すように、送信フォーム中のインプット用テキストボックスの属性を解析し、送信先（情報取得元）のID（企業ID）と、その送信先アドレス、対応項目のデータ名（シンボリック名）を関連付けて蓄積する。
【００３６】
このとき、例えば”氏名”が”名前”、”性別”が”男女別”など、項目名（項目タイトル）として異なる表現が用いられている場合には、テンプレートに登録された項目タイトルに統一するように、取得した送信フォームの項目タイトルを変換する。
【表２】
2006185409.tif 000005
【００３７】
また、送信フォーム生成部２６は、Webサーバ４１〜４３上のＨＴＭＬ内に送信フォームが含まれていない場合であって、問い合わせ用のメールアドレスが含まれている場合には、所定の求職情報が記述可能な電子メール形式の送信フォームを生成し、送信フォームデータベース５４に蓄積する。
【００３８】
代行処理部２４は、ユーザーの個人情報を取得するとともに、この取得した個人情報を、情報抽出部２５により抽出された情報データに含まれるデータ項目に対応付け、データをインターネット３上に送信するための送信フォームに記述し、送信するモジュールである。図２（ｂ）は、代行処理部２４の内部構成を示すブロック図である。
【００３９】
同図に示すように、代行処理部２４は、Web配信部２４ａと、個人情報入力部２４ｂと、企業選択部２４ｃと、情報フィルタ部２４ｄと、送信フォーム選択部２４ｅと、送信フォーム形成部２４ｆとを備えている。
【００４０】
Web配信部２４ａは、ＨＴＭＬファイルを蓄積し、配信するWebサーバ機能であり、データ送受部２２を通じて、求職者１の端末装置１ａに対し、対話形式でデータの送受信を行い、所定のデータを取得するモジュールである。個人情報入力部２４ｂは、Web配信部２４ａにより取得された情報のうち、求職者１の個人情報（氏名、年齢、住所、職歴等）を取得し、取得した情報を情報フィルタ部２４ｄに出力するモジュールである。
【００４１】
企業選択部２４ｃは、求職のため応募用送信フォームを生成する際に、求職者１の操作に応じて、応募対象となる企業を企業データベース５３から選択するモジュールである。具体的には、企業データベース５３に情報が蓄積されている企業を企業ID等の識別子により選択し、その企業識別子を送信フォーム選択部２４ｅに出力する。
【００４２】
情報フィルタ部２４ｄは、個人情報入力部２４ｂにおいて入力された個人情報のうち、所定のデータを非表示とすべくフィルタリングを施し、送信フォーム形成部２４ｆに転送するモジュールであり、この情報フィルタ部２４ｄによりフィルタリングされた情報は、送信フォーム形成部２４ｆにおいて送信フォームを形成するする際に、非表示となるように記述される。このフィルタリングされる情報としては、個人の氏名や住所、電話番号など個人を特定できる情報であり、これらの情報は非開示とされ、年齢や性別、最終学歴等が企業等に開示される。
【００４３】
送信フォーム選択部２４ｅは、企業選択部２４ｃで選択された企業に対する送信フォームを送信フォームデータベース５４から検索し取得するモジュールである。この送信フォーム選択部２４ｅで選択された送信フォームは、送信フォーム形成部２４ｆに一括して転送される。
【００４４】
送信フォーム形成部２４ｆは、送信フォーム選択部２４ｅで選択された送信フォームに、個人情報入力部２４ｂで入力され、情報フィルタ部２４ｄでフィルタリングされた個人情報を記述して、送信フォームを形成するモジュールである。この送信フォーム形成部２４ｆで形成された送信フォームは、データ送受部２２を通じて、インターネット３上の企業Webページに送信される。
【００４５】
（代行処理方法）
以上の構成を有する代行処理システムを動作させることによって、本発明の代行処理方法を実施することができる。図３は、本実施形態に係る代行処理システムの動作を示すシーケンス図であり、図４は、本実施形態における情報データに対する処理を示す説明図である。
【００４６】
先ず、代行処理サーバ２の情報データ収集部２１により、インターネット３上を巡回し、情報データの収集を行う（Ｓ１０１及びＳ１０２）。収集された情報データは、代行処理サーバ２におけるタグ解析及びキーワード検索により情報抽出が行われ、抽出された企業情報や求人情報は企業データベース５３に蓄積され、求職ページに含まれていた送信フォームは、企業IDと関連付けられて送信フォームデータベース５４に蓄積される（Ｓ１０３〜Ｓ１０６）。
【００４７】
具体的には、図４（ａ）に示すように、インターネット３上を巡回することによって、例えば企業情報や求人情報が掲載されたWebページＰ１〜Ｐ３を収集する。そして、このWebページＰ１〜Ｐ３内に含まれるタグを解析し、企業情報Ｔ１〜Ｔ３を切り出すとともに、求人情報に対する応募用送信フォームＦ０１〜Ｆ０３を切り出す。
【００４８】
企業情報Ｔ１〜Ｔ３は、企業に関する項目が含まれているが、そのレイアウトや項目の配置は統一されていない。したがって、所定形式のテンプレートＴ１１〜Ｔ１２に変換（項目のソート、タイトルの統一など）を行い企業データベース５３に蓄積する。
【００４９】
応募用送信フォームＦ０１〜Ｆ０３についても、応募用送信フォームＦ０１〜Ｆ０３内の項目を、所定のテンプレートＦ１１〜Ｆ１３の対応する項目に関係づけて、送信フォームデータベース５４に蓄積する。
【００５０】
なお、ステップＳ１０６において、送信フォームが情報データに含まれていないときであって、連絡先としてメールアドレスが含まれているときには、電子メール形式の送信フォームを生成し、送信フォームデータベース５４に蓄積する。
【００５１】
収集された企業情報や求人情報は、Web配信部２４ａによりインターネット３上に配信され、求職者１によるアクセスが可能となる（Ｓ１０７）。
【００５２】
そして、求職者１は、端末装置１ａより代行処理サーバ２に対してアクセスし、企業情報及び求人情報の検索を行い、求人に対する応募をするに際し、個人情報の入力を行うとともに、応募対象となる企業を選択する（Ｓ１０８及びＳ１０９）。
【００５３】
そして、代行処理サーバ２において、ステップＳ１０８で入力された個人情報のうち所定の情報をフィルタリングし（Ｓ１１０）、選択された企業に対応付けられた送信フォームを、送信フォームデータベース５４から読み出し、送信フォームに所定の個人情報を記述して、送信フォームを形成する（Ｓ１１１）。
【００５４】
具体的には、図４（ｂ）に示すように、個人情報入力部２４ｂでは、基本フォームＦ１に所定の個人情報を入力する。これと併せて、選択された企業のテンプレートＦ１１〜Ｆ１３が読み出され、基本フォームＦ１の各項目に対応するテンプレートＦ１１〜Ｆ１３の項目に入力され、送信フォームが形成される。
【００５５】
このようにして形成された送信フォームは、企業選択部２４ｃにより選択された企業に対して、送信される（Ｓ１１２）。
【００５６】
なお、フィルタリングされた個人情報は、企業の要求及び求職者本人の承諾を得て、企業側に開示するようにしてもよい。
【００５７】
（代行処理システム及び代行処理方法による作用・効果）
以上説明した本実施形態に係る代行処理システム及び代行処理方法によれば、先ず、巡回ロボットにより、自動的にインターネット３上の情報データを収集するため、求人を行っている企業が積極的に求人情報を登録しなくても、自動的に求職者１の検索対象に含めることができる。
【００５８】
また、求職者１は、自動的に収集された求人情報データに対する応募処理を、代行処理サーバ２上で提供される統一された送信フォームにより一括して行うことができるため、情報データ毎に個人情報を入力するなどの煩雑な操作を簡略化し、多数の企業に対して容易に求職手続きを行うことができる。
【００５９】
本実施形態においては、個人情報のうち、情報フィルタ部２４ｄにより、個人情報に含まれる情報のうち、所定のデータをフィルタリングして送信フォームに記述するため、情報取得元に対して、不要な個人情報が開示されるのを回避することができ、個人情報の漏洩を防止することができる。
【００６０】
［第２実施形態］
次いで、本発明の第２実施形態について説明する。この第２実施形態では、第１実施形態で説明した、企業の求人に対する応募を代行するシステムに加えて、企業の就職情報ポータルサイトに対する求人登録を代行するシステム等を並設し、求人及び求職の双方に対して総合的なサービスの提供を行うことを特徴とする。
【００６１】
（システムの全体構成）
図５は、本実施形態に係る代行処理システムの概略構成を示す説明図である。なお、本実施形態において、上述した第１実施形態と同一の構成要素には同一の符号を付し、その機能等は特に言及しない限り同一であり、その説明は省略する。
【００６２】
同図に示すように、本実施形態に係る代行処理システムは、求職者が使用する端末装置１ａと、インターネット３と、インターネット３上に分散配置されWebサーバ４１〜４３と、インターネット３を通じて端末装置１ａがアクセス可能な代行処理サーバ２と、企業登録代行サーバ６と、履歴書管理サーバ７と、企業４に設置された端末装置４ａと、就職情報ポータルサイト８１〜８３とを備えている。
【００６３】
本実施形態においてWebサーバ４１〜４３は、求人情報を配信しているWebサイトであり、求人企業が独自に運営するサーバや、就職情報が掲載された就職情報ポータルサイトのサーバが含まれる。また、就職情報ポータルサイト８１〜８３は、求人企業が多数登録され、採用情報が掲載された就職情報ポータルサイトであり、上述したWebサーバ４１〜４３と同一のポータルサイトの場合もある。
【００６４】
端末装置４ａは、企業内或いは企業外に設置され、ＣＰＵ等の演算処理ユニットや通信デバイスを備えた装置であり、パーソナルコンピュータ等の汎用コンピュータや、機能を特化させた専用装置により実現することができ、モバイルコンピュータやＰＤＡ（Personal Digital Assistance）、携帯電話機が含まれる。
【００６５】
（代行処理サーバ２，及び企業登録代行サーバ６の構成）
本実施形態において代行処理サーバ２は、上述した第１実施形態と同様に、インターネット３上を巡回ロボットにより巡回し、Webサーバ４１〜４３等から求人情報を収集し、求職情報の検索サービスを提供する機能を備えている。一方、企業登録代行サーバ６は、求人を出している企業が、就職情報ポータルサイト８１〜８３に登録する手続を代行するサーバであり、上記代行処理サーバ２とほぼ同一の構成を有しているが、企業向けに種々の変更が加えられている。
【００６６】
図６（ａ）は、企業登録代行サーバ６の内部構成を示すブロック図である。具体的に、企業登録代行サーバ６は、通信系のモジュールであるデータ送受部６７と、データ収集系のモジュールである情報データ収集部６９とを備えている。
【００６７】
データ送受部６７は、インターネット３に接続され、インターネット３を通じてＩＰパケットの送受を行う通信デバイスである。このデータ送受部６７は、情報データ収集部６９により特定されたアドレス（URLやIPアドレス）にアクセスし、ＨＴＭＬファイル等をダウンロードし、タグ解析部６９ｃに出力する。また、データ送受部６７は、代行処理部６８を通じて企業４が使用する端末装置４ａ及び就職情報ポータルサイト８１〜８３に対して情報の送受信を行う。
【００６８】
情報データ収集部６９は、インターネット３上に分散配置されたＨＴＭＬ等の情報データ（求人企業を登録する就職情報ポータルサイト）を収集するモジュールであり、アクセス制御部６９ａと、リンク解析部６９ｂと、タグ解析部６９ｃとを備え、アドレスデータベース６１が接続されている。
【００６９】
タグ解析部６９ｃは、情報データであるＨＴＭＬ中のタグ（マークアップ）を解析し、情報データ中のテキストを属性（リンクアンカーや入力フォーム、テーブル等）毎に分類し、キーワード検索部６３及びリンク解析部６９ｂに出力するモジュールである。
【００７０】
リンク解析部６９ｂは、タグ解析部６９ｃにより解析されたリンク情報、すなわちＨＴＭＬタグに含まれる”リンクアンカー”を解析し、求人企業登録に関連する情報データのアドレスを収集し、アドレスデータベース６１に蓄積させるモジュールである。
【００７１】
アクセス制御部６９ａは、リンク解析部６９ｂにより解析されアドレスデータベース６１に蓄積されたリンク情報を読み出し、読み出されたリンク先をデータ送受部６７に出力し、データ送受部６７により、リンクを辿って情報データ間を遷移させて、情報データを収集させるモジュールである。
【００７２】
また、企業登録代行サーバ６は、登録代行処理系のモジュールであるキーワード検索部６３と、情報抽出部６５と、送信フォーム生成部６６とを備えている。
【００７３】
キーワード検索部６３は、情報抽出部６５の要求に応じて、情報データから企業とろくに関する情報を抽出するためのキーワードを蓄積するキーワードデータベース６２を検索し、検索結果を情報抽出部６５に出力するモジュールである。このキーワードは、情報データ中のタグ（文書レイアウトやテーブル、リスト等）により画定されるテキスト中に含まれる文字列を抽出するためのものであり、本実施形態では、求人企業登録に関する情報を抽出するキーワードとして、”会社案内”や”所在地”、”会社概要”等であり、求人情報であれば、”採用情報”、”募集要項”、”勤務地”、”職務内容”、”給与”、”勤務時間”等である。なお、このキーワードとしては、例えば地名を識別するためのコードであってもよい。
【００７４】
また、キーワード検索部６３には、例えば、キーワード検索のために入力された文字列の履歴を企業毎に記憶する入力履歴機能を設けてもよい。この入力履歴機能によれば、例えば、企業が頻繁に入力する文字列を履歴の中から抽出して、入力用のテキストボックス（コンボボックス）等に表示し、選択操作によって入力可能とすることにより、企業による入力作業の支援を実現することができる。また、例えば、ユーザー毎の履歴を複数の企業間で共有できるようにしてもよい。この場合には、多数の企業が一般的に用いる検索文字列を優先的に表示し、選択入力させることができ、検索操作が不慣れな企業であっても、容易に情報検索を行うことができる。
【００７５】
情報抽出部６５は、情報データから就職情報ポータルサイトに関する情報を情報取得元及び上記キーワードと関連付けて抽出し、抽出した情報をポータルサイトデータベース６５ａに蓄積するモジュールである。例えば、就職情報ポータルサイト８１から取得した情報データから得られた情報について、各項目及び各内容を対応付けてテーブルデータとしてポータルサイトデータベース６５ａに蓄積する。
【００７６】
送信フォーム生成部６６は、タグ解析部６９ｃにより、就職情報ポータルサイト８１〜８３上のＨＴＭＬ内に送信フォームが含まれている場合に、この送信フォームを切り出すとともに、送信フォーム中に含まれる送信項目の属性を解析し、所定のテンプレートの対応項目と関連付けて、送信フォームデータベース６４に蓄積するモジュールである。
【００７７】
また、送信フォーム生成部６６は、就職情報ポータルサイト８１〜８３上のＨＴＭＬ内に送信フォームが含まれていない場合であって、問い合わせ用のメールアドレスが含まれている場合には、所定の求職情報が記述可能な電子メール形式の送信フォームを生成し、送信フォームデータベース６４に蓄積する。
【００７８】
代行処理部６８は、求人企業の採用情報を取得するとともに、この取得した採用情報を、情報抽出部６５により抽出された情報データに含まれるデータ項目に対応付け、データをインターネット３上に送信するための送信フォームに記述し、送信するモジュールである。図６（ｂ）は、代行処理部６８の内部構成を示すブロック図である。
【００７９】
同図に示すように、代行処理部６８は、採用情報入力部６８ａと、情報フィルタ部６８ｂと、送信フォーム選択部６８ｃと、送信フォーム形成部６８ｄと、採用ホームページ作成部６８ｅとを備えている。
【００８０】
採用情報入力部６８ａは、採用情報入力フォームであるＨＴＭＬファイルを蓄積し、配信するWebサーバ機能を備え、データ送受部６７を通じて、企業４の端末装置４ａに対し、対話形式でデータの送受信を行い、所定のデータを取得するモジュールである。この取得された情報は、採用ホームページ作成部６８ｅに出力され、採用ホームページ作成部６８ｅにおいて採用情報が掲載されたホームページが作成され、企業データベース５３に蓄積される。また、採用情報入力部６８ａは、採用情報入力フォームを通じて取得された情報のうち、求人企業の採用情報（氏名、年齢、住所、職歴等）を抽出し、抽出した情報を情報フィルタ部６８ｂ、送信フォーム選択部６８ｃ、及び企業データベース５３に出力する。すなわち、本実施形態において、採用情報入力部６８ａは、企業から取得した採用情報を、登録代行処理と並行して企業データベース５３に企業情報として蓄積し、独自の就職情報データベースの構築を実現する。
【００８１】
情報フィルタ部６８ｂは、採用情報入力部６８ａにおいて入力された個人情報のうち、所定のデータを非表示とすべくフィルタリングを施し、送信フォーム形成部６８ｄに転送するモジュールであり、この情報フィルタ部６８ｂによりフィルタリングされた情報は、送信フォーム形成部６８ｄにおいて送信フォームを形成するする際に、非表示となるように記述される。
【００８２】
送信フォーム選択部６８ｃは、ポータルサイトに対する送信フォームを送信フォームデータベース６４から検索し取得するモジュールである。この送信フォーム選択部６８ｃで選択された送信フォームは、送信フォーム形成部６８ｄに一括して転送される。
【００８３】
送信フォーム形成部６８ｄは、送信フォーム選択部６８ｃで選択された送信フォームに、採用情報入力部６８ａで入力され、情報フィルタ部６８ｂでフィルタリングされた採用情報を記述して、送信フォームを形成するモジュールである。この送信フォーム形成部６８ｄで形成された送信フォームは、データ送受部６７を通じて、インターネット３上の就職情報ポータルサイト８１〜８３に送信される。
【００８４】
（履歴書管理サーバ７の構成）
次いで、上記履歴書管理サーバ７の構成について説明する。図７は、履歴書管理サーバ７の内部構成を示すブロック図である。
【００８５】
同図に示すようにこの履歴書管理サーバ７は、上記代行処理サーバ２の代行処理部２４と連係して動作するサーバである。具体的には、履歴書作成部７１と、履歴書データベース７２と、応募者管理部７３と、暗号処理部７４と、応募者情報開示部７５と、暗号鍵設定部７６と、相互検索部７７とを備えている。
【００８６】
履歴書作成部７１は、求職者（応募者）が入力した個人情報に基づいて、所定のフォーマットの履歴書データを作成する。本実施形態において個人情報入力部２４ｂは、入力された個人情報を代行処理部２４における代行処理に送出するとともに、この履歴書作成部７１における履歴書作成処理にも送出する。これにより、求人応募の代行処理と並行して、独自のデータベースの構築を実現することができる。
【００８７】
履歴書データベース７２は、履歴書作成部７１で作成された履歴書データを蓄積するデータベース装置である。この履歴書データベース７２は、応募者管理部７３を介して相互検索部７７と接続され、企業データベース５３の採用条件と就職条件との相互検索を行うことも可能となっている。
【００８８】
応募者管理部７３は、Webサーバ４１〜４３〜４３からの返答を収集して整理する機能と、履歴書データベース７２内のデータを整理するデータベースマネージャーの機能を備えたモジュールである。すなわち、応募者管理部７３は、応募代行により求職応募を行った企業（或いは就職情報ポータルサイト）からの、求職応募に対する返答を求職者の代理として受け取り、受け取った返答のうち重複したデータを排除した上で、暗号処理部７４に出力するとともに、相互検索部７７を介して企業データベース５３に反映させる。企業データベース５３に反映された返答情報は、データ送受部２２を介して、求職者が閲覧可能となる。
【００８９】
暗号処理部７４は、暗号鍵設定部７６により設定された暗号鍵により履歴書データを暗号化して応募者情報開示部７５に出力するモジュールである。暗号鍵設定部７６は、企業選択部２４ｃと接続されており、ユーザーが選択した企業ごとに暗号鍵を設定する。この暗号鍵は、ユーザーが任意に設定してもよく、システム側が自動的に生成するものであってもよい。これら暗号処理部７４と暗号鍵設定部７６とにより、ユーザーが就職を希望した企業のみが履歴書の閲覧が可能となる。
【００９０】
応募者情報開示部７５は、求人企業に対しWeb経由、電子メール、或いは専用回線等を通じて履歴書情報を開示するモジュールである。この開示される企業は、企業選択部２４ｃで選択され、かつ暗号処理部７４で暗号化されたデータを閲覧する暗号鍵を有する企業のみに限定される。
【００９１】
相互検索部７７は、企業データベース５３と履歴書データベース７２とに接続され、相互にマッチングを行うモジュールである。すなわち、企業データベース５３には、巡回ロボットにより収集された企業情報と採用情報入力部６８ａを通じて直接入力された企業情報が蓄積されており、また履歴書データベース７２には、応募代行用に入力された個人情報が蓄積されており、相互にマッチングを行うことにより、本システム内で完結した求人求職検索サービスシステムを構築することができる。
【００９２】
（登録代行処理方法）
以上の構成を有する代行処理システムを動作させることによって、本発明の求人企業登録代行処理方法を実施することができる。図８は、本実施形態に係る代行処理システムの動作を示すシーケンス図である。
【００９３】
先ず、企業登録代行サーバ６の情報データ収集部６９により、インターネット３上を巡回し、求人企業登録ポータルサイトに関する情報データの収集を行う（Ｓ３０１及びＳ３０２）。収集された情報データは、企業登録代行サーバ６おけるタグ解析及びキーワード検索により情報抽出が行われ、抽出された企業情報や求人情報は企業データベース５３に蓄積され、企業登録ページに含まれていた送信フォームは、ポータルサイトIDと関連付けられて送信フォームデータベース６４に蓄積される（Ｓ３０３〜Ｓ３０６）。
【００９４】
具体的には、インターネット３上を巡回することによって、例えば企業登録情報が掲載されたWebページを収集する。そして、このWebページ内に含まれるタグを解析し、登録条件を切り出すとともに、登録申し込み用送信フォームを切り出す。登録申込用送信フォームについては、フォーム内の項目を、所定のテンプレートの対応する項目に関係づけて、送信フォームデータベース６４に蓄積する。
【００９５】
なお、ステップＳ３０６において、送信フォームが情報データに含まれていないときであって、連絡先としてメールアドレスが含まれているときには、電子メール形式の送信フォームを生成し、送信フォームデータベース６４に蓄積する。
【００９６】
収集された企業情報や求人情報は、インターネット３上に配信され、求職者１によるアクセスが可能となる（Ｓ３０７）。そして、企業４は、端末装置４ａより企業登録代行サーバ６に対してアクセスし、企業情報及び採用情報の入力を行う（Ｓ３０８）。
【００９７】
そして、企業登録代行サーバ６において、ステップＳ３０８で入力された採用情報のうち所定の情報をフィルタリングし（Ｓ３０９）、ポータルサイト用の送信フォームを、送信フォームデータベース６４から読み出し、送信フォームに所定の企業情報及び採用情報を記述して、送信フォームを形成する（Ｓ３１０）。具体的には、採用情報入力部６８ａでは、基本フォームに所定の企業情報及び採用情報を入力する。これと併せて、対応するポータルサイトのテンプレートが読み出され、基本フォームの各項目に対応するテンプレートの項目に入力され、送信フォームが形成される。
【００９８】
このようにして形成された送信フォームは、各ポータルサイトに対して送信され、登録手続が完了する（Ｓ３１１）。
【００９９】
（求人・求職データベースの構築）
以上説明した本システムによれば、求人企業に対するポータルサイトへの登録代行処理と、求職者に対する求人応募代行処理と並行して、独自の求人・求職データベースの構築を行うことができる。図９は、求人・求職データベースの構築手順を示す説明図である。
【０１００】
先ず、企業登録代行サーバ６において就職情報ポータルサイト８１〜８３の巡回が行われ、登録代行用の情報が収集されているものとする（Ｓ２０４）。企業４は、企業登録代行サーバ６にアクセスし、採用情報入力部６８ａに対して採用情報の入力を行う（Ｓ２０１）。この入力された情報に基づいて、代行処理部６８において登録代行処理が行われるとともに（Ｓ２０３）、採用ホームページの作成（Ｓ２０２）が行われ、企業データベース５３へ蓄積される。一方、代行処理サーバ２においても、求人企業への応募代行用の情報収集が巡回ロボットにより実行され（Ｓ２１３）、収集された求人企業に関する情報が企業データベース５３に蓄積されている。
【０１０１】
このようにして企業データベース５３に蓄積された求人情報は、代行処理サーバ２のWeb配信部２４ａにより求職者１に対して閲覧可能に開示される（Ｓ２０５）。求職者１は、個人情報入力部２４ｂに対して個人情報を入力するとともに（Ｓ２０６）、就職希望企業の選択（又は就職条件の入力）を行う（Ｓ２１１）。
【０１０２】
ステップＳ２０６で入力された個人情報に基づいて、履歴書作成部７１により履歴書データが作成され（Ｓ２０７）、履歴書データベース７２への蓄積が行われるとともに（Ｓ２０７）、代行処理部２４において応募代行が行われる（Ｓ２１４）。次いで、応募者管理部７３において、情報の整理（重複削除等）が行われた後（Ｓ２０８）、企業選択部２４ｃにおいて選択された企業について、暗号鍵が設定され（Ｓ２１２）、この暗号鍵に基づいて、履歴書データが暗号化され（Ｓ２０９）、選択された企業に対して開示される（Ｓ２１０）。
【０１０３】
この応募に対する企業からの応答は、企業データベース５３に反映され、Web配信部２４ａにより求職者に対して開示される（Ｓ２０５）。なお、相互検索部７７においても、マッチング検索が可能であり、採用条件や就職条件等に基づいて、企業側から又は求職者側からの検索も可能である（Ｓ２１５）。
【０１０４】
（代行処理システム及び代行処理方法による作用・効果）
以上説明した本実施形態に係る代行処理システム及び代行処理方法によれば、先ず、巡回ロボットにより、自動的にインターネット３上の情報データ（企業ホームページや就職ポータルサイト）を収集するため、求人を行っている企業が積極的に求人情報を登録しなくても、自動的に求職者１の検索対象に含めることができる。また、巡回ロボットにより、求人企業の登録を行っているポータルサイトを収集するため、求人企業は、ポータルサイトを検索する作業を省略することができる。
【０１０５】
さらに、企業４にあっては、自動的に収集された企業登録ポータルサイトへの登録処理を、求職者１にあっては、自動的に収集された求人情報データに対する応募処理を、代行処理サーバ２または企業登録代行サーバ６上で提供される統一されたフォームにより一括して行うことができるため、ポータルサイト毎に情報を入力するなどの煩雑な操作を簡略化し、多数の企業やポータルサイトに対して容易に手続きを行うことができる。
【０１０６】
そして、特に本実施形態においては、上述した求人企業のポータルサイトへの登録手続や、求職者の応募手続を代行するサービスと併せて、この代行サービスにおいて取得されたデータを独自のデータベースに蓄積することにより、求人企業側の情報及び求職者側の情報の両方を効率よく蓄積することができ、求人企業と求職者とのマッチングサービスを統一されたシステムにより提供することが可能となる。
【０１０７】
（変更例）
なお、この第２実施形態では、履歴書データの暗号化をデータベース７２への蓄積後に行ったが、本発明はこれに限定されるものではなく、例えば、求職者がブラウザ上で個人情報を入力する際に行うこともできる。  図１０及び図１１は、本変更例に係る代行処理システムの概略構成を示すブロック図であり、図１２は、本変更例に係る代行処理システムの動作を示す説明図である。
【０１０８】
すなわち、本変更例では、上述した個人情報の入力（Ｓ２０６）、履歴書作成（Ｓ２０７）、求職者のブラウザ上で実行し、さらにこの作成された履歴書データを暗号化し（Ｓ３１２）、暗号化された履歴書データを履歴書データベース７２に蓄積する。
【０１０９】
具体的に、ステップＳ３１２では、図１２に示すように、求職者Ａに固有の個人暗号鍵Ｋａにより履歴書データＤ１を暗号化して暗号化データＤ１０とするとともに、選択された求人企業等に固有の企業公開鍵（ここでは、企業Ｂの公開鍵ＰＫｂ）により個人暗号鍵Ｋａを暗号化して暗号化データＤ２０とする。この企業公開鍵は、暗号鍵設定部７６の企業公開鍵データベース７８に蓄積されており、求職者による就職希望企業の選択（Ｓ２１１）に応じて、データベース７８から読み出され、暗号処理部７４において暗号処理に用いられる。
【０１１０】
そして、これら暗号化データＤ１０及びＤ２０は、それぞれ履歴書データベース７２及び個人鍵データベース７９にそれぞれ蓄積され、応募者管理部７３により管理される（Ｓ２０８）。この応募者管理部７３では、上記同様に重複応募の削除が実行される。
【０１１１】
次いで、応募者情報開示部７５によって、求職者が選択した企業に対して暗号化データＤ１０及びＤ２０が提供される。この暗号化データの提供は、電子メールによる配信や、Ｗｅｂページによる閲覧により行うことができる。この暗号化データの提供を受けた求人企業Ｂは、先ず、企業Ｂに固有の秘密鍵ＳＫｂにより、暗号化データＤ２０を復号して個人暗号鍵Ｋａを取り出し、この復号された個人暗号鍵Ｋａにより暗号化データＤ１０を復号して、履歴書データＤ１を取り出して閲覧することができる。
【０１１２】
このような変更例によれば、個人情報が記述されている履歴書データを履歴書データベース７２に蓄積する前に暗号化するため、データベースに対するアクセス中に個人情報が漏洩するのを防止することが可能となる。また、暗号化された個人鍵Ｋａは、求職者Ａが選択した企業の秘密鍵でのみ復号が可能であることから、求職者Ａが選択しなかった他の企業は復号することができず、より強固な個人情報保護を実施することができる。
【０１１３】
この結果、本変更例に係るシステム及び方法によれば、求人企業にあっては、個人情報の運用業務を安全にアウトソーシングすることができ、信頼性の高い採用業務システムを低コストで実現することができ、また、求職する個人にあっては、個人情報の漏洩を防止しつつ、利便性の高い求人・求職サービスを受けることができる。
【図面の簡単な説明】
【０１１４】
【図１】第１実施形態に係る代行処理システムの概略構成を示す説明図である。
【図２】（ａ）は、代行処理サーバ２の内部構成を示すブロック図であり、（ｂ）は、代行処理部２４の内部構成を示すブロック図である。
【図３】第１実施形態に係る代行処理システムの動作を示すシーケンス図である。
【図４】第１実施形態における情報データに対する処理を示す説明図である。
【図５】第２実施形態に係る代行処理システムの概略構成を示す説明図である。
【図６】（ａ）は、企業登録代行サーバ６の内部構成を示すブロック図であり、（ｂ）は、代行処理部６８の内部構成を示すブロック図である。
【図７】第２実施形態にかかる履歴書管理サーバ７の内部構成を示すブロック図である。
【図８】第２実施形態に係る代行処理システムの動作を示すシーケンス図である。
【図９】第２実施形態における代行処理方法の全体動作を示す説明図である。
【図１０】第２実施形態の変更例に係る代行処理システムの概略構成を示すブロック図である。
【図１１】第２実施形態の変更例にかかる履歴書管理サーバ７の内部構成を示すブロック図である。
【図１２】第２実施形態の変更例にかかる暗号処理を示す説明図である。
【符号の説明】
【０１１５】
Ｄ１…履歴書データ
Ｄ１０，Ｄ２０…暗号化データ
Ｆ０１〜Ｆ０３…応募用送信フォーム
Ｆ１…基本フォーム
Ｆ１１〜Ｆ１３…テンプレート
Ｐ１〜Ｐ３…Webページ
Ｋａ…個人Ａの暗号鍵
ＰＫｂ…企業Ｂの公開鍵
ＳＫｂ…企業Ｂの秘密鍵
Ｔ１１〜Ｔ１２…テンプレート
Ｔ１〜Ｔ３…企業情報
１…求職者
１ａ，４ａ…端末装置
２…代行処理サーバ
３…インターネット
４…企業
６…企業登録代行サーバ
７…履歴書管理サーバ
２１…情報データ収集部
２１ａ…アクセス制御部
２１ｂ…リンク解析部
２１ｃ…タグ解析部
２２…データ送受部
２３…キーワード検索部
２４…代行処理部
２４ａ…Web配信部
２４ｂ…個人情報入力部
２４ｃ…企業選択部
２４ｄ…情報フィルタ部
２４ｅ…送信フォーム選択部
２４ｆ…送信フォーム形成部
２５…情報抽出部
２６…送信フォーム生成部
４１〜４３…Webサーバ
５１…アドレスデータベース
５２…キーワードデータベース
５３…企業データベース
５４…送信フォームデータベース
６１…アドレスデータベース
６２…キーワードデータベース
６３…キーワード検索部
６４…送信フォームデータベース
６５…情報抽出部
６５ａ…ポータルサイトデータベース
６６…送信フォーム生成部
６７…データ送受部
６８…代行処理部
６８ａ…採用情報入力部
６８ｂ…情報フィルタ部
６８ｃ…送信フォーム選択部
６８ｄ…送信フォーム形成部
６８ｅ…採用ホームページ作成部
６９…情報データ収集部
６９ａ…アクセス制御部
６９ｂ…リンク解析部
６９ｃ…タグ解析部
７１…履歴書作成部
７２…履歴書データベース
７３…応募者管理部
７４…暗号処理部
７５…応募者情報開示部
７６…暗号鍵設定部
７７…相互検索部
７８…企業公開鍵データベース
７９…個人鍵データベース
８１〜８３…就職情報ポータルサイト
【図１】
2006185409.tif 000006
【図２】
2006185409.tif 000007
【図３】
2006185409.tif 000008
【図４】
2006185409.tif 000009
【図５】
2006185409.tif 000010
【図６】
2006185409.tif 000011
【図７】
2006185409.tif 000012
【図８】
2006185409.tif 000013
【図９】
2006185409.tif 000014
【図１０】
2006185409.tif 000015
【図１１】
2006185409.tif 000016
【図１２】
2006185409.tif 000017